(57)【特許請求の範囲】
【請求項１】
平坦部と嵌合溝とが交互に形成された基板部材と、
前記嵌合溝に挿入可能な突出片が形成された取付部材と、
を備え、
前記基板部材は、一端側の連結部と他端部の受け部とを連結することにより他の基板部材と連結可能に形成され、
前記連結部には、前記平坦部と同一平面を形成する連結平坦部が設けられ、
前記受け部では、前記嵌合溝を形成する最端部の側壁が露出して端部側壁を形成しており、
前記基板部材を他の基板部材に連結したときに、前記連結平坦部の端部が前記端部側壁に近設するように配置されるとともに、この前記連結平坦部の端部及び前記端部側壁を前記取付部材で覆うようにしたことを特徴とする、パネル材。
【請求項２】
前記受け部は、更に、前記基板部材を躯体等に固定するための取り付け部を備え、この取り付け部は、前記端部側壁の下部から延出形成されており、
前記基板部材を他の基板部材に連結したときに、前記取り付け部は、他の基板部材の前記連結平坦部で覆われることを特徴とする、請求項１記載のパネル材。
【請求項３】
前記連結平坦部の裏面側には支持脚部が形成されていることを特徴とする、請求項１又は２記載のパネル材。
【請求項４】
前記基板部材の前記嵌合溝の縁部付近には、突起部が形成されるとともに、
前記取付部材における前記基板部材との接触面には、前記突起部を差し込むための受溝が形成されており、
かつ、前記取付部材の突出片は、前記接触面の片側寄りに設けられていることを特徴とする、請求項１〜３のいずれかに記載のパネル材。
【請求項５】
前記突出片には、弾性変形可能な爪部を有する固定金具が取り付けられ、
前記嵌合溝の内周壁には、前記爪部を係止可能な係止部が形成されていることを特徴とする、請求項１〜４のいずれかに記載のパネル材。
【請求項６】
前記固定金具は、断面Ｕ字型のクリップであり、前記取付部材の突出片に所定間隔で装着されることを特徴とする、請求項５記載のパネル材。
【請求項７】
請求項１〜６のいずれかに記載のパネル材の製造方法であって、
前記基板部材に化粧シートを貼付し、当該化粧シートを前記嵌合溝内へ折り込んだ後に、
前記取付部材の突出片を前記嵌合溝に挿入して固定することを特徴とする、パネル材の製造方法。
【発明の詳細な説明】
【技術分野】
【０００１】
この発明は、基板部材にリブ材などの取付部材を取り付けることで構成されるパネル材およびその製造方法に関するものである。
【背景技術】
【０００２】
従来、住宅等の内装材などとしてリブ付パネルが広く用いられている。
【０００３】
例えば、特許文献１には、表面に細長い複数のリブ材を有するリブ付化粧パネルが開示されている。このリブ付化粧パネルは、リブ材を化粧基材の嵌合溝内に嵌込むように構成され、更に、接着剤、釘、ねじ、ダボなどを用いてリブ材を化粧基材に取付けることとされている。
【先行技術文献】
【特許文献】
【０００４】
【特許文献１】特開２００９−１３７１７号公報
【発明の概要】
【発明が解決しようとする課題】
【０００５】
しかし、上記した従来のリブ付パネルでは、接着剤、釘、ねじ、ダボなどを用いてリブ材を化粧基材に取付けるため、取付作業が繁雑で作業性が悪いという問題があった。しかも、１度固定してしまうとリブ材のみの変更ができず、デザインの変更などに対応できないという問題があった。
【０００６】
また、連続してリブ付化粧パネルを取り付けると、目地が表面から視認できてしまい、また、リブ材の取り付け間隔が不揃いとなるため、パネルの意匠性が悪くなってしまうという問題があった。
【０００７】
そこで、本発明は、リブ材などの取付部材を容易に取り付けることができるとともに、連続して設けた場合でも意匠性が損なわれないパネル材を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載のパネル材は、平坦部と嵌合溝とが交互に形成された基板部材と、前記嵌合溝に挿入可能な突出片が形成された取付部材と、を備え、前記基板部材は、一端側の連結部と他端部の受け部とを連結することにより他の基板部材と連結可能に形成され、前記連結部には、前記平坦部と同一平面を形成する連結平坦部が設けられ、前記受け部では、前記嵌合溝を形成する最端部の側壁が露出して端部側壁を形成しており、前記基板部材を他の基板部材に連結したときに、前記連結平坦部の端部が前記端部側壁に近設するように配置されるとともに、この前記連結平坦部の端部及び前記端部側壁を前記取付部材で覆うようにしたことを特徴とする。
【００１１】
（請求項２）
請求項２に記載の発明は、上記した請求項１記載の発明の特徴点に加え、以下の点を特徴とする。
【００１２】
すなわち、前記受け部は、更に、前記基板部材を躯体等に固定するための取り付け部を備え、この取り付け部は、前記端部側壁の下部から延出形成されており、前記基板部材を他の基板部材に連結したときに、前記取り付け部は、他の基板部材の前記連結平坦部で覆われることを特徴とする。
【００１３】
（請求項３）
請求項３に記載の発明は、上記した請求項１又は２記載の発明の特徴点に加え、以下の点を特徴とする。
【００１４】
すなわち、前記連結平坦部の裏面側には支持脚部が形成されていることを特徴とする。
【００１５】
（請求項４）
請求項４に記載の発明は、上記した請求項１〜３のいずれかに記載の発明の特徴点に加え、以下の点を特徴とする。
【００１６】
すなわち、前記基板部材の前記嵌合溝の縁部付近には、突起部が形成されるとともに、前記取付部材における前記基板部材との接触面には、前記突起部を差し込むための受溝が形成されており、かつ、前記取付部材の突出片は、前記接触面の片側寄りに設けられていることを特徴とする。
【００１７】
（請求項５）
請求項５に記載の発明は、上記した請求項１〜４のいずれかに記載の発明の特徴点に加え、以下の点を特徴とする。
【００１８】
すなわち、前記突出片には、弾性変形可能な爪部を有する固定金具が取り付けられ、前記嵌合溝の内周壁には、前記爪部を係止可能な係止部が形成されていることを特徴とする。
【００１９】
（請求項６）
請求項６に記載の発明は、上記した請求項５記載の発明の特徴点に加え、以下の点を特徴とする。
【００２０】
すなわち、前記固定金具は、断面Ｕ字型のクリップであり、前記取付部材の突出片に所定間隔で装着されることを特徴とする。
【００２１】
（請求項７）
請求項７に記載の発明は、上記した請求項１〜６のいずれかに記載のパネル材の製造方法であって、以下の点を特徴とする。
【００２２】
すなわち、前記基板部材に化粧シートを貼付し、当該化粧シートを前記嵌合溝内へ折り込んだ後に、前記取付部材の突出片を前記嵌合溝に挿入して固定することを特徴とする。
【発明の効果】
【００２３】
請求項１に記載の発明は上記の通りであり、基板部材に設けた嵌合溝に対して取付部材の突出片を挿入可能とした。このため、リブ材などの取付部材の取り付けが容易となっている。
【００２４】
また、基板部材を他の基板部材に連結したときに、連結平坦部の端部が端部側壁に近設するように配置されるとともに、この連結平坦部の端部及び端部側壁を取付部材で覆うようにした。このため、基板部材の目地は、取付部材によって隠蔽されて表面に露出しない。しかも、連結部を構成する連結平坦部は、平坦部と同一平面を形成するものである。このため、連結部と平坦部との違いが目立たないように形成されている。このように、目地や連結部が目立たないため、パネル材を連続して設けた場合であっても意匠性が損なわれないパネル材を提供できる。
【００２５】
また、請求項２に記載の発明は上記の通りであり、基板部材を躯体等に固定するための取り付け部を設け、この取り付け部は、基板部材を他の基板部材に連結したときに他の基板部材の連結平坦部で覆われることとした。このため、基板部材の取り付け部も外部から視認できないようにすることができ、更に意匠性の良いパネル材を提供できる。
【００２６】
また、請求項３に記載の発明は上記の通りであり、連結平坦部の裏面側には支持脚部が形成されている。このため、連結平坦部の裏面側に空間を設けることができ、例えば、取り付け部を躯体等に固定するためのビスや、嵌合溝に挿入した取付部材の突出片を基板部材に固定するためのビスなどを設けた場合でも、この連結平坦部の裏面側の空間にビス頭などを突出させることができ、部材間の干渉を避けることができる。
【００２７】
また、請求項４に記載の発明は上記の通りであり、取付部材における基板部材との接触面には、突起部を差し込むための受溝が形成されており、かつ、取付部材の突出片は、接触面の片側寄りに設けられている。このため、突出片の挿入方向が定まるとともに、安定した取り付けが可能となっており、作業を確実かつ容易に行なうことができる。
【００２８】
また、請求項５に記載の発明は上記の通りであり、突出片には、弾性変形可能な爪部を有する固定金具が取り付けられ、嵌合溝の内周壁には、爪部を係止可能な係止部が形成されている。このため、固定金具を介して簡単に安定した取付部材の取り付けが可能である。しかも、取付部材をペンチ等で抜いて取り外すことも可能であるため、取付部材の交換にも対応できる。
【００２９】
また、請求項６に記載の発明は上記の通りであり、固定金具は、断面Ｕ字型のクリップであり、取付部材の突出片に所定間隔で装着される。このため、短尺な固定金具で取付部材を取り付けられるため、取付構造を低コストで実現することができる。
【００３０】
また、請求項７に記載の発明は上記の通りであり、基板部材に化粧シートを貼付し、当該化粧シートを嵌合溝内へ折り込んだ後に、取付部材の突出片を嵌合溝に挿入して固定する。このため、シートが嵌合溝内に入り込むようになっており、経年によりシートが剥がれる恐れがない。
【図面の簡単な説明】
【００３１】
【図１】本発明の実施形態に係るパネル材の外観図である。
【図２】本発明の実施形態に係るパネル材の分解斜視図である。
【図３】本発明の実施形態に係る取付部材の断面図である。
【図４】本発明の実施形態に係る固定金具の断面図である。
【図５】本発明の実施形態に係る基板部材の断面図である。
【図６】本発明の実施形態に係るパネル材の取り付け状態を示す断面図である。
【図７】本発明の実施形態に係るパネル材の取り付け状態を示す図であって、連結部付近の部分拡大断面図である。
【図８】本発明の実施形態の変形例に係る取付部材の断面図である。
【発明を実施するための形態】
【００３２】
本発明の実施形態について、図を参照しながら説明する。
【００３３】
本実施形態に係るパネル材１０は、図１に示すように、基板部材１１の嵌合溝１３に取付部材３０（リブ材）を取り付けてなるものであり、本実施形態においては、複数の基板部材１１を連結して天井部の躯体５１に取り付けることとしている。
【００３４】
詳しくは、本実施形態に係るパネル材１０は、図２に示すように、平坦部１２と嵌合溝１３とが交互に形成された基板部材１１と、前記嵌合溝１３に挿入可能な突出片３３が形成された取付部材３０と、前記突出片３３に取り付けられる固定金具４０と、からなり、この固定金具４０を介して、取付部材３０を基板部材１１に取り付けるようになっている。
【００３５】
取付部材３０は、基板部材１１に取り付けて使用されるものであり、図３に示すように、断面長方形の中空柱状のリブ部３１を有するリブ材である。この取付部材３０は、基板部材１１に取り付けたときに基板部材１１の取付面と相対する接触面３２を有している。この接触面３２には、基板部材１１の嵌合溝１３に挿入可能な突出片３３と、後述する基板部材１１の突起部２１を差し込むための受溝３５と、が形成されている。
【００３６】
なお、この取付部材３０の突出片３３は、図３に示すように、接触面３２の片側寄りに設けられている。この突出片３３は、接触面３２の略中央に設けられた受溝３５の一方の縁部付近において、接触面３２から突出するように形成されている。この突出片３３が形成されていることによって接触面３２の形状は左右非対称となっており、これにより、後述する基板部材１１の連結平坦部１６の端部１６ａが接触面３２に当接し、目地や連結部が目立たず取り付けが可能となっている。さらに、受溝３５を設ける事により、左右非対称の取付部材３０の取り付け方向を相違する事なく、取付部材３０の安定した取り付けが可能である。
【００３７】
固定金具４０は、前述した取付部材３０の突出片３３に取り付けて使用されるものであり、図４に示すように、断面Ｕ字型のクリップである。すなわち、この固定金具４０は、Ｕ字型の内側が取付溝４１を形成し、この取付溝４１に取付部材３０の突出片３３を差し込むことにより、突出片３３に取り付けられるものである。
【００３８】
この固定金具４０は、図２に示すように、取付部材３０の突出片３３に所定間隔で装着され、この装着箇所において基板部材１１と取付部材３０とを結合する。このため、短尺な固定金具４０で取付部材３０を取り付けられ、低コストで実現可能な取付構造となっている。
【００３９】
なお、取付溝４１には、図４に示すように、弾性変形可能な抜け止め４３が設けられており、この抜け止め４３が、取付部材３０の突出片３３に形成された筋状突起３４（図３参照）に係止されるようになっている。すなわち、この抜け止め４３が設けられていることにより、取付部材３０の突出片３３に取り付けた固定金具４０が抜け落ちないように形成されている。
【００４０】
また、固定金具４０の外側面には、図４に示すように、弾性変形可能な爪部４２が設けられており、この爪部４２が、後述する嵌合溝１３の内周壁に形成された係止部１４に係止される。このため、固定金具４０を取り付けた突出片３３を嵌合溝１３に挿入したときに、固定金具４０の爪部４２が係止部１４に係止されて、しっかりと固定されるようになっている。
【００４１】
ここで、前述した取付部材３０を取り付ける基板部材１１は、図５に示すように、平坦部１２と嵌合溝１３とが交互に形成されている。
【００４２】
この基板部材１１の平坦部１２は、外部への露出面を形成する部分であり、図５に示すように、取付面と平行に設けられている。
【００４３】
また、この基板部材１１の嵌合溝１３は、前述した取付部材３０の突出片３３が挿入される溝であり、図５に示すように、平坦部１２の両端に形成され、平坦部１２と比較して取付面の側に陥没するように形成されている。なお、この嵌合溝１３の両縁部はＲ形状のＲ部４４を設けており、固定金具４０を取り付けた突出片３３が挿入しやすくなっている。また、この嵌合溝１３の内周壁には、前述した固定金具４０の爪部４２を係止するための係止部１４が形成されており、挿入した固定金具４０がしっかりと固定されるようになっている。
【００４４】
この嵌合溝１３の縁部付近には、図５に示すように、突起部２１が形成されている。この突起部２１は、嵌合溝１３の一方側壁を延長するように平坦部１２から突出しており、前述したように、取付部材３０の受溝３５に差し込んで固定するためのものである。
【００４５】
ところで、この基板部材１１は、図６に示すように、一端側の連結部１５と他端部の受け部１８とを連結することにより、他の基板部材１１と連結可能に形成されている。
【００４６】
連結部１５は、図５に示すように、基板部材１１の一端側に形成される部位であり、後述する受け部１８と連結される。この連結部１５は、図５に示すように、平坦部１２と同一平面を形成する連結平坦部１６を有している。なお、この連結平坦部１６は、平坦部１２と略同じ幅で形成されているため、後述する受け部１８と連結されたときに、平坦部１２と見分けがつかないようになっている。この連結平坦部１６の裏面側には支持脚部１７が形成されており、連結平坦部１６を支持するとともに、連結平坦部１６の裏面側に空間を形成している（図６参照）。
【００４７】
一方、受け部１８は、嵌合溝１３を形成する最端部の側壁が露出して端部側壁１９を形成するとともに、この端部側壁１９の下部からは、基板部材１１を躯体５１等に固定するための取り付け部２０が延出形成されている。
【００４８】
以上のような構成により、これら連結部１５と受け部１８とを連結し、各嵌合溝１３に取付部材３０を取り付けることにより、取り付け対象面の幅に応じた数のパネル材１０を連続して配置できるようになっている。
【００４９】
次に、上記したパネル材１０の取り付け方法について説明する。
【００５０】
本実施形態に係るパネル材１０を躯体５１に取り付ける際には、基板部材１１及び取付部材３０に化粧シート（図示せず）等を貼付る際は、先に行う。このとき、基板部材１１に貼付した化粧シートは嵌合溝１３内へ折り込むようにする。そして、図６に示すように、取付部材３０の突出片３３に固定金具４０を装着し、各基板部材１１のすべての嵌合溝１３に挿入し、取付部材３０の取り付けを完了するため、化粧シートを貼付した基板部材１１のシートも固定され、経年によりシートが剥がれ難い。このとき、固定金具４０の爪部４２が嵌合溝１３の内周壁に形成された係止部１４に係止され、しっかりと固定される。また、図７に示すように、基板部材１１の突起部２１が取付部材３０の受溝３５に嵌め込まれるため、左右非対称の取付部材の取り付け方向を相違する事なく、取付部材３０の安定した取り付けができる。
【００５１】
さらに、組み合わされた基板部材１１及び取付部材３０の取り付け部２０をビス５０で躯体５１に固定することにより、基板部材１１を躯体５１に取り付ける。
【００５２】
基板部材１１は、隣接する基板部材１１と連結するように配置され、順次躯体５１に取り付けられていく。このとき、図７に示すように、前記連結平坦部１６の端部１６ａが前記端部側壁１９に近設するように配置される。
【００５３】
このように取付部材３０を基板部材１１に取り付けると、図７に示すように、取付部材３０の接触面３２の裏側に、連結平坦部１６の端部１６ａ及び前記端部側壁１９が配置される。また、連結平坦部１６の端部１６ａと端部側壁１９とが近接しているため、連結平坦部１６の端部１６ａ及び前記端部側壁１９が取付部材３０で覆われることとなる。
【００５４】
また、連結平坦部１６の裏側に取り付け部２０が配置されるため、図７に示すように、連結平坦部１６が取り付け部２０を覆うこととなる。
【００５５】
以上のように、本実施形態によれば、固定金具４０を装着した突出片３３を挿入することで取付部材３０を取り付けることとしたため、リブ材などの取付部材３０の取り付けが容易である。しかも、取付部材３０をペンチ等で抜いて取り外すことも可能であるため、取付部材３０の交換にも対応できる。
【００５６】
また、基板部材１１を他の基板部材１１に連結したときに、連結平坦部１６の端部１６ａが端部側壁１９に近設するように配置されるとともに、この連結平坦部１６の端部１６ａ及び端部側壁１９が取付部材３０で覆われる。このため、基板部材１１の目地は、取付部材３０によって隠蔽されて表面に露出しない。しかも、連結部１５を構成する連結平坦部１６は、平坦部１２と同一平面を形成している。このため、連結部１５と平坦部１２との違いが目立たず、パネル材１０を連続して設けた場合であっても意匠性が損なわれることがない。
【００５７】
また、基板部材１１を躯体５１に固定するための取り付け部２０が連結平坦部１６で覆われるため、この取り付け部２０も外部から視認できないようになっており、更に意匠性の良いパネル材１０となっている。
【００５８】
また、連結平坦部１６の裏面側に支持脚部１７が形成されているため、連結平坦部１６の裏面側に空間を設けることができる。この空間で端部側壁１９をビス等（図示しない）で固定すると、ビス頭が干渉することなく更に強固に取付部材３０を固定することもできる。
【００５９】
なお、上記した実施形態においては、取付部材３０のリブ部３１の形状が、断面長方形の中空柱状であるとして説明したが、これに限らない。例えば、図８（ａ）〜（ｈ）に示すように、様々な形状のリブ部３１が使用可能である。また、リブ部３１の形状は中空柱状に限らず、図８（ｆ）〜（ｈ）に示すように、フランジ状や鉤状あるいはフラット状であってもよい。
【００６０】
また、上記した実施形態においては、パネル材１０を天井部の躯体５１に取り付ける場合について説明したが、これに限らず、壁などに取り付けてもよいことは言うまでもない。また、本発明に係るパネル材１０は、単に化粧用パネルとして用いるのみならず、壁へ横貼りにすることで、リブ部３１を棚として使用したり、リブ部３１に照明を取り付けて使用することもできる。
【００６１】
また、上記した実施形態においては、基板部材１１に色や図柄等が施された化粧シートを貼付することとしたが、これに限らない。例えば、基材部材１１へ直接電解着色や塗装を施すことにより、模様や色調を設定することとしてもよい。同様に、取付部材３０についても、化粧シートを貼付したり、電解着色や塗装を施したりすることにより、模様や色調を設定してもよい。
【符号の説明】
【００６２】
１０  パネル材
１１  基板部材
１２  平坦部
１３  嵌合溝
１４  係止部
１５  連結部
１６  連結平坦部
１６ａ  端部
１７  支持脚部
１８  受け部
１９  端部側壁
２０  取り付け部
２１  突起部
３０  取付部材
３１  リブ部
３２  接触面
３３  突出片
３４  筋状突起
３５  受溝
４０  固定金具
４１  取付溝
４２  爪部
４３  抜け止め
４４  Ｒ部
５０  ビス
５１  躯体
【図１】
0005395004.tif 000002
【図２】
0005395004.tif 000003
【図３】
0005395004.tif 000004
【図４】
0005395004.tif 000005
【図５】
0005395004.tif 000006
【図６】
0005395004.tif 000007
【図７】
0005395004.tif 000008
【図８】
0005395004.tif 000009